(57)【特許請求の範囲】
【請求項１】
全量買取及び余剰買取のいずれかの条件で発電設備を系統連系する電力制御装置であって、
系統と接続するための第１の連系リレーと、
蓄電装置と接続するための自立出力リレーと、
自装置が連系する系統に第１の異常が発生したことを検出すると、前記第１の連系リレーを開き、自装置の系統連系条件が余剰買取の場合には前記自立出力リレーを閉じ、自装置の系統連系条件が全量買取の場合には前記自立出力リレーを開く制御を行う第１の制御部と
を備える電力制御装置。
【請求項２】
請求項１に記載の電力制御装置において、
前記第１の異常は閾値を上回る系統の電圧上昇である
ことを特徴とする電力制御装置。
【請求項３】
請求項１又は２に記載の電力制御装置において、
前記第１の制御部は、自装置が連系する系統に第２の異常が発生したことを検出すると、前記第１の連系リレーを開いた後に前記自立出力リレーを閉じる
ことを特徴とする電力制御装置。
【請求項４】
請求項３に記載の電力制御装置において、
前記第２の異常は系統の停電である
ことを特徴とする電力制御装置。
【請求項５】
請求項１から４のいずれか一項に記載の電力制御装置において、
前記自立出力リレーを閉じることにより、前記発電設備の発電電力を前記蓄電装置に対して充電電力として供給することが可能である
ことを特徴とする電力制御装置。
【請求項６】
請求項５に記載の電力制御装置において、
前記自立出力リレーを閉じる場合、前記蓄電装置に対して接続要求を出力することを特徴とする電力制御装置。
【請求項７】
発電設備を系統連系する電力制御装置と接続して使用される蓄電装置であって、
系統と接続するための第２の連系リレーと、
前記電力制御装置と接続するための自立入力リレーと、
自装置が連系する系統に第１の異常が発生したことを検出、または、前記電力制御装置から第１の異常の発生に基づいた接続要求を取得すると、前記電力制御装置の系統連系条件が余剰買取の場合には前記自立入力リレーを閉じ、前記電力制御装置の系統連系条件が全量買取の場合には前記自立入力リレーを開く制御を行う第２の制御部と
を備える蓄電装置。
【請求項８】
請求項７に記載の蓄電装置において、
前記第１の異常は閾値を上回る系統の電圧上昇である
ことを特徴とする蓄電装置。
【請求項９】
請求項７又は８に記載の蓄電装置において、
前記第２の制御部は、前記電力制御装置が接続する系統に第２の異常が発生したことを検出すると、前記第２の連系リレーを開いた後に前記自立入力リレーを閉じる
ことを特徴とする蓄電装置。
【請求項１０】
請求項９に記載の蓄電装置において、
前記第２の異常は系統の停電である
ことを特徴とする蓄電装置。
【請求項１１】
請求項７から１０のいずれか１項に記載の蓄電装置において、
前記自立入力リレーを閉じることにより、前記発電設備の発電電力を充電電力として供給されることが可能である
ことを特徴とする蓄電装置。
【請求項１２】
請求項１１に記載の蓄電装置において、
前記自立入力リレーを閉じる場合、前記電力制御装置から接続要求を取得することを特徴とする蓄電装置。
【請求項１３】
全量買取及び余剰買取のいずれかの条件で発電設備を系統連系する電力制御装置と、当該電力制御装置と接続して使用される蓄電装置とを備える電力制御システムであって、
前記電力制御装置は、
系統と接続するための第１の連系リレーと、
前記蓄電装置と接続するための自立出力リレーと、
自装置が連系する系統に第１の異常が発生したことを検出すると、前記第１の連系リレーを開き、自装置の系統連系条件が余剰買取の場合には前記自立出力リレーを閉じ、自装置の系統連系条件が全量買取の場合には前記自立出力リレーを開く制御を行う第１の制御部と
を備え、
前記蓄電装置は、
系統と接続するための第２の連系リレーと、
前記電力制御装置と接続するための自立入力リレーと、
自装置が連系する系統に第１の異常が発生したことを自装置が検出、または前記電力制御装置から前記第１の異常の発生に基づいた接続要求を取得すると、前記電力制御装置の系統連系条件が余剰買取の場合には前記自立入力リレーを閉じ、前記電力制御装置の系統連系条件が全量買取の場合には前記自立入力リレーを開く制御を行う第２の制御部と
を備える電力制御システム。
【請求項１４】
全量買取及び余剰買取のいずれかの条件で発電設備を系統連系する電力制御装置と、当該電力制御装置と接続して使用される蓄電装置とを備える電力制御システムにおける電力制御方法であって、
前記電力制御装置が連系する系統に第１の異常が発生すると前記電力制御装置が系統から解列する第１のステップと、
前記第１のステップの後、前記電力制御装置の系統連系条件が余剰買取の場合には前記電力制御装置が、前記発電設備からの電力を前記蓄電装置に供給可能に制御する第２のステップと、
前記第１のステップの後、前記系統連系条件が全量買取の場合には前記電力制御装置が、前記発電設備からの電力を前記蓄電装置に供給できないよう制御する第３のステップと、
を有することを特徴とする電力制御方法。
【発明の詳細な説明】
【技術分野】
【０００１】
本発明は、電力制御装置、蓄電装置、電力制御システム及び電力制御方法に関する。
【背景技術】
【０００２】
従来、電力系統の電圧が所定の値を超えたときに蓄電手段に太陽電池による発電エネルギーを蓄える太陽光発電システムが知られている（例えば、特許文献１）。
【先行技術文献】
【特許文献】
【０００３】
【特許文献１】特開平６−１３３４７２号公報
【発明の概要】
【発明が解決しようとする課題】
【０００４】
ところで、発電した電力を売る（売電する）制度として、余剰買取及び全量買取という、それぞれ売電条件などが異なる２つの制度が知られている。余剰買取とは、発電設備が発電した電力のうち、家庭等で利用しない余剰分を一般電気事業者等に売電することを前提とした制度である。一方、全量買取とは、発電した全ての電力を一般電気事業者等に売電することを前提とした制度である。このように、現在は売電条件の異なる複数の制度が存在するものの、特許文献１記載の方法では余剰買取の場合しか想定されていない。
【０００５】
かかる事情に鑑みてなされた本発明の目的は、余剰買取又は全量買取の条件に応じて、発電設備で発電した電力を極力有効利用することが可能な電力制御装置、蓄電装置、電力制御システム及び電力制御方法を提供することである。
【課題を解決するための手段】
【０００６】
上記課題を解決するため、本発明に係る電力制御装置は、全量買取及び余剰買取のいずれかの条件で発電設備を系統連系する電力制御装置であり、系統と接続するための第１の連系リレーと、蓄電装置と接続するための自立出力リレーと、自装置が連系する系統に第１の異常が発生したことを検出すると、前記第１の連系リレーを開き、自装置の系統連系条件が余剰買取の場合には前記自立出力リレーを閉じ、自装置の系統連系条件が全量買取の場合には前記自立出力リレーを開く制御を行う第１の制御部とを備える。
【０００７】
また、本発明に係る電力制御装置において、前記第１の異常は閾値を上回る系統の電圧上昇であることが好ましい。
【０００８】
また、本発明に係る電力制御装置において、前記第１の制御部は、自装置が連系する系統に第２の異常が発生したことを検出すると、前記第１の連系リレーを開いた後に前記自立出力リレーを閉じることが好ましい。
【０００９】
また、本発明に係る電力制御装置において、前記第２の異常は系統の停電であることが好ましい。
【００１０】
また、本発明に係る電力制御装置において、前記自立出力リレーを閉じることにより、前記発電設備の発電電力を前記蓄電装置に対して充電電力として供給することが可能であることが好ましい。
【００１１】
また、本発明に係る電力制御装置において、前記自立出力リレーを閉じる場合、前記蓄電装置に対して接続要求を出力することが好ましい。
【００１２】
また、上記課題を解決するため、本発明に係る蓄電装置は、発電設備を系統連系する電力制御装置と接続して使用される蓄電装置であり、系統と接続するための第２の連系リレーと、前記電力制御装置と接続するための自立入力リレーと、第１の異常の発生により前記電力制御装置から接続要求を取得すると、前記電力制御装置の系統連系条件が余剰買取の場合には前記自立入力リレーを閉じ、前記電力制御装置の系統連系条件が全量買取の場合には前記自立入力リレーを開く制御を行う第２の制御部とを備える。
【００１３】
また、本発明に係る蓄電装置において、前記第１の異常は閾値を上回る系統の電圧上昇であることが好ましい。
【００１４】
また、本発明に係る蓄電装置において、前記第２の制御部は、前記電力制御装置が接続する系統に第２の異常が発生したことを検出すると、前記第２の連系リレーを開いた後に前記自立入力リレーを閉じることが好ましい。
【００１５】
また、本発明に係る蓄電装置において、前記第２の異常は系統の停電であることが好ましい。
【００１６】
また、本発明に係る蓄電装置において、前記自立入力リレーを閉じることにより、前記発電設備の発電電力を充電電力として供給されることが可能であることが好ましい。
【００１７】
また、本発明に係る蓄電装置において、前記自立入力リレーを閉じる場合、前記電力制御装置から接続要求を取得することが好ましい。
【００１８】
また、上記課題を解決するため、本発明に係る電力制御システムは、全量買取及び余剰買取のいずれかの条件で発電設備を系統連系する電力制御装置と、当該電力制御装置と接続して使用される蓄電装置とを備える電力制御システムであり、前記電力制御装置は、系統と接続するための第１の連系リレーと、前記蓄電装置と接続するための自立出力リレーと、自装置が連系する系統に第１の異常が発生したことを検出すると、前記第１の連系リレーを開き、自装置の系統連系条件が余剰買取の場合には前記自立出力リレーを閉じ、自装置の系統連系条件が全量買取の場合には前記自立出力リレーを開く制御を行う第１の制御部とを備え、前記蓄電装置は、系統と接続するための第２の連系リレーと、前記電力制御装置と接続するための自立入力リレーと、自装置が連系する系統に第１の異常が発生したことを自装置が検出、または前記電力制御装置から前記第１の異常の発生に基づいた接続要求を取得すると、前記電力制御装置の系統連系条件が余剰買取の場合には前記自立入力リレーを閉じ、前記電力制御装置の系統連系条件が全量買取の場合には前記自立入力リレーを開く制御を行う第２の制御部とを備える。
【００１９】
更に、上記課題を解決するため、本発明に係る電力制御方法は、全量買取及び余剰買取のいずれかの条件で発電設備を系統連系する電力制御装置と、当該電力制御装置と接続して使用される蓄電装置とを備える電力制御システムにおける電力制御方法であり、前記電力制御装置が連系する系統に第１の異常が発生すると前記電力制御装置が系統から解列する第１のステップと、前記第１のステップの後、前記電力制御装置の系統連系条件が余剰買取の場合には前記電力制御装置が、前記発電設備からの電力を前記蓄電装置に供給可能に制御する第２のステップと、前記第１のステップの後、前記系統連系条件が全量買取の場合には前記電力制御装置が、前記発電設備からの電力を前記蓄電装置に供給できないよう制御する第３のステップと、を有することを特徴とする。
【発明の効果】
【００２０】
本発明に係る電力制御装置、蓄電装置、電力制御システム及び電力制御方法によれば、余剰買取又は全量買取の条件に応じて、発電設備で発電した電力を極力有効利用することが可能となる。
【図面の簡単な説明】
【００２１】
【図１】本発明の一実施形態に係る電力制御システムの余剰買取の場合における機能ブロック図である。
【図２】本発明の一実施形態に係る電力制御システムの全量買取の場合における機能ブロック図である。
【図３】図１において第１の異常が発生した場合の電力制御システムの様子を示す図である。
【図４】図２において第１の異常が発生した場合の電力制御システムの様子を示す図である。
【図５】図１において第２の異常が発生した場合の電力制御システムの様子を示す図である。
【図６】図２において第２の異常が発生した場合の電力制御システムの様子を示す図である。
【図７】第１の異常が発生した場合の電力制御システムの動作フローを示す図である。
【図８】（ａ）は、第２の異常が発生した場合の電力制御装置の動作フローを示す図であり、（ｂ）は、第２の異常が発生した場合の蓄電装置の動作フローを示す図である。
【発明を実施するための形態】
【００２２】
以下、本発明の一実施形態を図面に基づいて説明する。本発明の一実施形態に係る発電設備１、電力制御装置２及び蓄電装置３の各機能を説明するが、それらが備える他の機能を排除することを意図したものでないことに留意されたい。
【００２３】
［システム構成］
図１は、本発明の一実施形態に係る電力制御システムの余剰買取の場合における機能ブロック図である。電力制御システムは、発電設備１、電力制御装置２、蓄電装置３、負荷４及び負荷５を有する。図１の電力制御システムにおいては、発電設備１が発電した電力の余剰売電を行うため、電力制御装置２と蓄電装置３が同一の系統（商用電源系統）に接続されている。図１において、制御ライン及び情報伝達ラインは破線で示し、電力ラインは実線で示す。
【００２４】
発電設備１は例えば、ＰＶ（ｐｈｏｔｏｖｏｌｔａｉｃ：太陽電池）パネルであり、太陽光のエネルギーを直流の電流に変換する。発電設備１においては例えば、光電変換セルを有する発電部がマトリクス状に接続され、所定の直流電流（例えば、１０Ａ）を出力する。発電設備１は、シリコン系多結晶太陽電池、シリコン系単結晶太陽電池又はＣＩＧＳ（Ｃｏｐｐｅｒ  Ｉｎｄｉｕｍ  Ｇａｌｌｉｕｍ  ＤｉＳｅｌｅｎｉｄｅ）等薄膜系太陽電池等、光電変換可能なものであり、その種類は制限されない。また、発電設備１は太陽光発電を利用した設備に限らず、燃料電池、風力発電、火力発電等を利用した設備であってもよい。
【００２５】
電力制御装置２は、ＤＣ／ＤＣコンバータ２１、インバータ２２、第１の制御部２３、記憶部２４、第１の連系リレー２５、自立出力リレー２６及びセンサ２７を有する。
【００２６】
ＤＣ／ＤＣコンバータ２１は、発電設備１が発電した直流電力の電圧を昇降圧する。図１に示す通り、ＤＣ／ＤＣコンバータ２１は、発電設備１の出力端に接続される。
【００２７】
インバータ２２は、ＤＣ／ＤＣコンバータ２１の出力端に接続され、ＤＣ／ＤＣコンバータ２１が出力した直流電力を交流電力に変換して出力する。
【００２８】
第１の制御部２３は、電力制御装置２の各種動作を制御するＣＰＵ（Ｃｅｎｔｒａｌ  Ｐｒｏｃｅｓｓｉｎｇ  Ｕｎｉｔ）等のプロセッサである。第１の制御部２３はセンサ２７から系統の電圧等の情報を取得して、電力制御装置２が接続する系統に電圧の上昇又は停電等の異常が発生しているか否かを検出することができる。センサ２７は例えば、第１の連系リレー２５の出力端に接続される。また、第１の制御部２３は、発生している異常及び電力制御装置２の系統連系条件に応じて、第１の連系リレー２５及び自立出力リレー２６の開閉を制御する。詳しくは後述する。更に、第１の制御部２３は蓄電装置３と有線又は無線により通信し、自立出力リレー２６を閉じる場合、接続要求を蓄電装置３に出力することができる。
【００２９】
記憶部２４は、系統連系条件が全量買取か余剰買取かを記憶する。系統連系条件は例えば、電力制御装置２の設置時に利用者が設定する。全量買取の場合における電力制御システムの機能ブロック図を図２に示す。
【００３０】
図２は全量買取の場合における電力制御システムを示しており、この場合電力制御装置２と蓄電装置３は異なる系統に接続されている。この場合、電力制御装置２及び／又は蓄電装置３が系統連系している場合に、電力制御装置２と蓄電装置３とが接続されることは、規定違反となる。
【００３１】
電力制御装置２と蓄電装置３とが同じ系統に接続されている場合（すなわち、余剰買取の場合）は、電力制御装置２と蓄電装置３とが接続されていても規定違反にはならない。
【００３２】
図１の説明に戻る。第１の連系リレー２５は、インバータ２２と系統との間に接続された、系統と電力制御装置２との接続（連系）及び切り離し（解列）を切り替えるためのスイッチである。第１の連系リレー２５が閉じているとき、系統と電力制御装置２とは接続し、第１の連系リレー２５が開いているとき、系統と電力制御装置２とは切り離される。
【００３３】
自立出力リレー２６は、インバータ２２と蓄電装置３との間に接続された、電力制御装置２と蓄電装置３との接続及び切り離しを切り替えるためのスイッチである。自立出力リレー２６が閉じているとき、電力制御装置２と蓄電装置３とは接続可能となり、自立出力リレー２６が開いているとき、電力制御装置２と蓄電装置３とは切り離される。詳細は後述するが、自立出力リレー２６を閉じることにより、発電設備１の発電電力を蓄電装置３に対して充電電力として供給することが可能となる。
【００３４】
蓄電装置３は、第２の制御部３１、自立入力リレー３２、ＰＣＳ（Ｐｏｗｅｒ  Ｃｏｎｄｉｔｉｏｎｉｎｇ  Ｓｙｓｔｅｍ：パワーコンディショナ）３３、第２の連系リレー３４、蓄電池３５及びセンサ３６を有する。蓄電装置３は、発電設備１が発電した電気を蓄える（充電する）装置である。蓄電装置３は、系統の停電時及び系統の電圧上昇時等の異常時においても発電設備１が発電した電気を蓄えることができる。
【００３５】
第２の制御部３１は、蓄電装置３の各種動作を制御するＣＰＵ等のプロセッサである。第２の制御部３１は、センサ３６から通知された情報を用いて、蓄電装置３が連系する系統に停電が発生しているか否かを検出することができる。また、第２の制御部３１は、発生している異常及び電力制御装置２の系統連系条件に応じて、第２の連系リレー３４及び自立入力リレー３２の開閉を制御する。詳しくは後述する。更に、第２の制御部３１は電力制御装置２と有線又は無線により通信し、自立入力リレー３２を閉じる場合、電力制御装置２から接続要求を取得することができる。
【００３６】
自立入力リレー３２は、電力制御装置２とＰＣＳ３３との間に接続された、電力制御装置２と蓄電装置３との接続及び切り離しを切り替えるためのスイッチである。自立入力リレー３２が閉じているとき、電力制御装置２と蓄電装置３とは接続可能となり、自立入力リレー３２が開いているとき、電力制御装置２と蓄電装置３とは切り離される。
【００３７】
ＰＣＳ３３は、インバータ、ＡＣ／ＤＣコンバータ及び双方向ＤＣ／ＤＣコンバータ等を有するＰＣＳである。ＰＣＳ３３は、直流に変換した電力を蓄電池３５に出力して蓄電池３５を充電する。またＰＣＳ３３は、蓄電池３５から取得した直流電力を交流電力に変換して負荷４に出力する。
【００３８】
第２の連系リレー３４は、系統とＰＣＳ３３との間に接続された、系統と蓄電装置３との接続（連系）及び切り離し（解列）を切り替えるためのスイッチである。第２の連系リレー３４が閉じているとき、系統と蓄電装置３とは接続し、第２の連系リレー３４が開いているとき、系統と蓄電装置３とは切り離される。
【００３９】
負荷４及び負荷５は、電力を消費する電力負荷であり、例えば家庭内で使用されるエアコン、電子レンジ、冷蔵庫、テレビ、ＨＥＭＳ（Ｈｏｍｅ  Ｅｎｅｒｇｙ  Ｍａｎａｇｅｍｅｎｔ  Ｓｙｓｔｅｍ）、ルータ等の各種電気製品である。また、負荷４及び負荷５は、商工業施設で使用される空調機又は照明器具等の機械、照明設備等である。負荷４及び負荷５の数は限定されない。分電盤により、電力を複数の支幹に分岐させて複数の負荷に供給することが可能である。
【００４０】
以下、本発明の一実施形態に係る電力制御システムが行う電力制御処理を説明する。以下の説明では一例として、第１の異常は閾値（例えば１０７Ｖ）を上回る系統の電圧上昇として説明し、第２の異常は系統の停電として説明する。また、系統連系条件が全量買取の場合、すなわち、電力制御装置２と蓄電装置３が異なる系統に接続されている場合であっても、それぞれの系統では同一の異常が発生するものとする。
【００４１】
［第１の異常発生時の電力制御処理］
第１の制御部２３は、センサ２７から通知された情報に基づいて、自装置（電力制御装置２）が接続（連系）する系統に系統電圧上昇（第１の異常）が発生したことを検出すると、第１の連系リレー２５を開く。また、第１の制御部２３は記憶部２４を参照して、自装置（電力制御装置２）の系統連系条件を取得する。
【００４２】
系統連系条件が余剰買取の場合（図３に示す）、第１の制御部２３は自立出力リレー２６を閉じる。一方系統連系条件が全量買取の場合（図４に示す）、第１の制御部２３は自立出力リレー２６を開く。
【００４３】
また、第１の制御部２３は、系統電圧上昇（第１の異常）が発生したことを検出すると、蓄電装置３に接続要求を出力してから、発電設備１が発電した電力を蓄電装置３に供給するようにしてもよい。この場合には、第１の制御部２３は、接続要求に対する許可を蓄電装置３から取得した場合のみ発電設備１が発電した電力を流すようにしてもよい。
【００４４】
第２の制御部３１は、系統電圧上昇の発生により電力制御装置２から接続要求を取得すると、当該接続要求に基づいて、系統電圧上昇が発生したことを検出する。第２の制御部３１は、電力制御装置２の系統連系条件を電力制御装置２との通信によって確認する。
【００４５】
電力制御装置２の系統連系条件が余剰買取の場合（図３に示す）、第２の制御部３１は、自立入力リレー３２を閉じるとともに、接続要求に対する許可を第１の制御部２３に出力する。このとき、第２の連系リレー３４は閉じている。そして第１の制御部２３は、接続要求に対する許可を蓄電装置３から取得すると、発電設備１で発電された電力を蓄電装置３に供給し、蓄電池３５が充電される。
【００４６】
一方、系統連系条件が全量買取の場合（図４に示す）、第２の制御部３１は自立入力リレー３２を開く。この場合、第２の制御部３１は、接続要求に対する許可を第１の制御部２３に出力しない、あるいは不可を出力する。また、このとき第２の連系リレー３４は閉じている。
【００４７】
ところで、第２の制御部３１が系統電圧上昇（第１の異常）の発生を検出する方法としては、第１の制御部２３から第２の制御部３１に対する通信により接続要求を出力して検出する方法を説明した。しかしながら、この他、第２の制御部３１が蓄電装置３自体の有するセンサ３６によって系統電圧上昇（第１の異常）の発生を直接検出してもよい。
【００４８】
［第２の異常発生時の電力制御処理］
第１の制御部２３は、例えば、センサ２７から通知された電圧等の情報に基づいて、自装置（電力制御装置２）が接続（連系）する系統に停電（第２の異常）が発生したことを検出すると、電力制御装置２の系統連系条件に関わらず第１の連系リレー２５を開く。第１の制御部２３はその後、自立出力リレー２６を閉じる。系統連系条件が余剰買取の場合を図５に示し、系統連系条件が全量買取の場合を図６に示す。
【００４９】
一方第２の制御部３１は、センサ３６から通知された情報に基づいて停電（第２の異常）が発生したことを検出すると、電力制御装置２の系統連系条件に関わらず第２の連系リレー３４を開き、自立入力リレー３２を閉じる。このとき、発電設備１で発電された電力が蓄電装置３に流れ、蓄電池３５が充電される。
【００５０】
［動作フロー］
図７は、本発明の一実施形態に係る電力制御システムの、系統電圧上昇（第１の異常）が発生した場合の動作フローを示す図である。
【００５１】
電力制御装置２はセンサ２７から通知された情報に基づいて系統電圧上昇（第１の異常）が発生したことを検出する（ステップＳ１）。検出後、電力制御装置２は第１の連系リレー２５を開く（ステップＳ２）。電力制御装置２は記憶部２４を参照して系統連系条件を取得し（ステップＳ３）、系統連系条件が余剰買取と全量買取とのどちらかを判定する（ステップＳ４）。
【００５２】
系統連系条件が余剰買取の場合、電力制御装置２は自立出力リレー２６を閉じる（ステップＳ５）。一方系統連系条件が全量買取の場合、電力制御装置２は自立出力リレー２６を開く（ステップＳ６）。電力制御装置２は第１の異常が発生したことを検出した後の任意の時点で蓄電装置３に接続要求を出力する（ステップＳ７）。
【００５３】
蓄電装置３は例えば当該接続要求に基づいて、系統電圧上昇（第１の異常）が発生したことを検出すると（ステップＳ８）、電力制御装置２の系統連系条件を電力制御装置２に問い合わせる（ステップＳ９）。蓄電装置３は系統連系条件を電力制御装置２から取得すると（ステップＳ１０）、系統連系条件が余剰買取か全量買取かを判定する（ステップＳ１１）。系統連系条件が余剰買取の場合、蓄電装置３は自立入力リレー３２を閉じ（ステップＳ１２）、系統連系条件が全量買取の場合、蓄電装置３は自立入力リレー３２を開く（ステップＳ１３）。
【００５４】
先に説明したように、蓄電装置３（第２の制御部３１）は第１の異常の発生を電力制御装置２から取得した接続要求により検出するだけでなく、蓄電装置３自体の有するセンサ３６によって直接検出してもよい。
【００５５】
図８（ａ）は、本発明の一実施形態に係る電力制御装置２の、停電（第２の異常）が発生した場合の動作フローを示す図である。電力制御装置２と蓄電装置３とは必ずしも通信を行わなくてもよいため、電力制御装置２の動作フローと蓄電装置３の動作フローとを分けて説明する。
【００５６】
電力制御装置２はセンサ２７から通知された情報に基づいて停電（第２の異常）が発生したことを検出する（ステップＳ２１）。次いで電力制御装置２は第１の連系リレー２５を開き（ステップＳ２２）、その後、自立入力リレー３２を閉じる（ステップＳ２３）。
【００５７】
図８（ｂ）は、本発明の一実施形態に係る蓄電装置３による、停電（第２の異常）が発生した場合の動作フローを示す図である。蓄電装置３はセンサ３６から通知された情報に基づいて停電（第２の異常）が発生したことを検出する（ステップＳ３１）。次いで蓄電装置３は、第２の連系リレー３４を開き（ステップＳ３２）、自立入力リレー３２を閉じる（ステップＳ３３）。
【００５８】
本実施形態によれば、余剰買取又は全量買取の条件に応じて、発電設備で発電した電力を極力有効利用することが可能となる。
【００５９】
本発明を諸図面及び実施例に基づき説明してきたが、当業者であれば本開示に基づき種々の変形及び修正を行うことが容易であることに注意されたい。したがって、これらの変形及び修正は本発明の範囲に含まれることに留意されたい。例えば、各部材、各部、各ステップなどに含まれる機能などは論理的に矛盾しないように再配置可能である。また、本発明を方法の発明として実施する場合にも、複数の部及びステップなどを１つに組み合わせたり、或いは分割したりすることが可能である。
【００６０】
また、本発明に係る第１の制御部２３及び第２の制御部３１をコンピュータで構成した場合、各機能を実現する処理内容を記述したプログラムを、そのコンピュータの内部又は外部の記憶部に格納しておき、そのコンピュータの中央演算処理装置（ＣＰＵ）によってこのプログラムを読み出して実行させることで実現することができる。また、このようなプログラムは、例えばＤＶＤ又はＣＤ−ＲＯＭなどの可搬型記録媒体の販売、譲渡、貸与等により流通させることができるほか、そのようなプログラムを、例えばネットワーク上にあるサーバの記憶部に記憶しておき、ネットワークを介してサーバから他のコンピュータにそのプログラムを転送することにより、流通させることができる。また、そのようなプログラムを実行するコンピュータは、例えば、可搬型記録媒体に記録されたプログラム又はサーバから転送されたプログラムを、一旦、自己の記憶部に記憶することができる。また、このプログラムの別の実施態様として、コンピュータが可搬型記録媒体から直接プログラムを読み取り、そのプログラムに従った処理を実行することとしてもよく、更に、このコンピュータにサーバからプログラムが転送される度に、逐次、受け取ったプログラムに従った処理を実行することとしてもよい。
【符号の説明】
【００６１】
１    発電設備
２    電力制御装置
２１  ＤＣ／ＤＣコンバータ
２２  インバータ
２３  第１の制御部
２４  記憶部
２５  第１の連系リレー
２６  自立出力リレー
２７  センサ
３    蓄電装置
３１  第２の制御部
３２  自立入力リレー
３３  ＰＣＳ
３４  第２の連系リレー
３５  蓄電池
３６  センサ
４、５  負荷
【図１】
0006453585.tif 000002
【図２】
0006453585.tif 000003
【図３】
0006453585.tif 000004
【図４】
0006453585.tif 000005
【図５】
0006453585.tif 000006
【図６】
0006453585.tif 000007
【図７】
0006453585.tif 000008
【図８】
0006453585.tif 000009